(57)【要約】【課題】風の影響を受けにくい電線被覆体を提供すること。【解決手段】電線被覆体１は、長手方向に延びる一対の縁部３ａ、３ｂを有し該一対の縁部３ａ、３ｂ間に割れ目４が形成された管状の本体２と、一対の縁部３ａ、３ｂそれぞれから本体２の外方に延出する一対の延出部５ａ、５ｂと、少なくとも本体２の外面に設けられる複数の凸部７と、を備える。複数の凸部７により、電線被覆体１に当たった風に乱流が生じ、電線被覆体１に当たる風圧荷重が低減される。【選択図】図２
2010187508.tif 000002
【特許請求の範囲】
【請求項１】
長手方向に延びる一対の縁部を有し該一対の縁部間に割れ目が形成された管状の本体と、
前記一対の縁部それぞれから前記本体の外方に延出する一対の延出部と、
少なくとも前記本体の外面に設けられる複数の凸部と、を備え、
前記延出部は、電線を被覆した状態で、水平方向に延びる電線被覆体。
【請求項２】
前記一対の延出部と対向する位置に設けられ、前記本体の外方に突出する突出部を備える請求項１に記載の電線被覆体。
【請求項３】
前記本体の前記長手方向に直交する方向に略楕円形の断面を備え、
前記一対の延出部と前記突出部とは、前記略楕円形の長軸方向における一方と他方との端部に配置される請求項２に記載の電線被覆体。
【請求項４】
絶縁性の部材で構成される請求項１から３のいずれかに記載の電線被覆体。
【発明の詳細な説明】
【技術分野】
【０００１】
本発明は、電線被覆体に関し、風の影響を受けにくい電線被覆体に関する。
【背景技術】
【０００２】
従来より、電線の近傍で建設作業を行う場合や、樹木の多い場所等に電線が架設される場合に、電線が設けられていることの注意を喚起する目印として、電線被覆体が電線に設けられている。電線被覆体は、その外面が平坦な管状の本体を備えている。本体は、長手方向に延びる一対の縁部を有し、この縁部の間の割れ目を離間させて電線を挿入するように構成されている（特許文献１参照）。
【０００３】
特許文献１で提案された電線被覆体は、一対の縁部のそれぞれから本体の外方に延出する一対の延出部を備えている。本体の内部に電線を挿入した後、この一対の延出部を互いに近接させ、割れ目を閉じることにより、電線が被覆される。延出部は、電線を被覆した状態では、本体の下方を向いている。
【先行技術文献】
【特許文献】
【０００４】
【特許文献１】特開２００３−２８９６１５号公報
【発明の概要】
【発明が解決しようとする課題】
【０００５】
しかしながら、特許文献１で提案された電線被覆体を電線に被せた場合には、風を受ける面積が電線よりも大きくなるため、電線被覆体が受ける風圧荷重が大きくなる。特に、本体の下方に配置される延出部は、電線の延びる方向に交差する方向から吹く風を受ける表面積が大きくなるため、風圧荷重が大きくなりやすい。このため、強風により、電線被覆体が落下するおそれが生じていた。また、台風襲来時には、電柱の傾斜や倒壊、電線断線のおそれがあった。
【０００６】
上記のような問題に鑑み、本発明は、風の影響を受けにくい電線被覆体を提供することを目的とする。
【課題を解決するための手段】
【０００７】
（１）  本発明によれば、長手方向に延びる一対の縁部を有し該一対の縁部間に割れ目が形成された管状の本体と、前記一対の縁部それぞれから前記本体の外方に延出する一対の延出部と、少なくとも前記本体の外面に設けられる複数の凸部と、を備え、前記延出部は、電線を被覆した状態で、水平方向に延びる。
【０００８】
（２）  前記一対の延出部と対向する位置に設けられ、前記本体の外方に突出する突出部を備えることが好ましい。
【０００９】
（３）  前記本体の前記長手方向に直交する方向に略楕円形の断面を備え、前記一対の延出部と前記突出部とは、前記略楕円形の長軸方向における一方と他方との端部に配置されることが好ましい。
【００１０】
（４）  絶縁性の部材で構成されることが好ましい。
【発明の効果】
【００１１】
本発明によれば、風の影響を受けにくい電線被覆体を提供することができる。
【図面の簡単な説明】
【００１２】
【図１】第１実施形態に係る電線被覆体が電線に設置された状態の概略図である。
【図２】第１実施形態に係る電線被覆体の斜視図である。
【図３】第１実施形態に係る電線被覆体の横断面図である
【図４】第２実施形態に係る電線被覆体の横断面図である。
【発明を実施するための形態】
【００１３】
以下、本発明の電線被覆体１の第１実施形態について具体的に説明する。図１は第１実施形態の電線被覆体１が電線１０に設置された状態の概略図である。図２は、電線被覆体１の斜視図である。図３は、電線被覆体１の横断面図である。
【００１４】
図１に示すように、本実施形態に係る電線被覆体１は、電線１０が配置されていることを視認可能にし、注意を喚起する目印として用いられる。
【００１５】
図１から３に示すように、本実施形態の電線被覆体１は、本体２と、一対の縁部３ａ、３ｂと、一対の延出部５ａ、５ｂと、割れ目４と、突出部６と、複数の凸部としての複数の突起部７と、を備えている。
【００１６】
本体２は、電線１０を被覆可能な管状の形状を備える。本体２の寸法は、被覆する電線１０の寸法によって適宜変更される。例えば、本体２の寸法は、全長が２〜５ｍ、内径が２０〜５０ｍｍ、外径が２２〜６０ｍｍ、厚さが１〜５ｍｍである。
【００１７】
一対の縁部３ａ、３ｂは、本体２の長手方向に沿って延びるように設けられる。一対の縁部３ａ、３ｂは、互いに離間可能である。一対の縁部３ａ、３ｂは、電線被覆体１が電線を被覆している状態では、互いに当接している。
【００１８】
図２及び図３に示すように、一対の延出部５ａ、５ｂは、一対の縁部３ａ、３ｂから本体２の外方に延出している。一対の延出部５ａ、５ｂのうち一方の延出部５ａには、凹部５１が形成される。他方の延出部５ｂには、凸部５２が形成される。この凹部５１と凸部５２を互いに係合させることにより、延出部５ａ、５ｂのそれぞれは、互いに確実に係止される。
【００１９】
一対の延出部５ａ、５ｂは、板状の形状を備える。一対の延出部５ａ、５ｂの長手方向は、本体２の長手方向に沿っている。一対の縁部３ａ、３ｂから一対の延出部５ａ、５ｂの外方の端部までの長さは、例えば１０〜３０ｍｍである。一対の延出部５ａ、５ｂの側面５４における厚さ方向の長さは、例えば０．８〜２０ｍｍである。電線被覆体１が電線１０を被覆した状態では、一対の延出部５ａ、５ｂは、水平に延びるように配置される。
【００２０】
割れ目４は、一対の縁部３ａ、３ｂの間に形成され、縁部３ａ、３ｂのそれぞれは、割れ目４を挟んだ一方と他方に設けられる。割れ目４は、一対の縁部３ａ、３ｂから一対の延出部５ａ、５ｂの外方の端部までの間に形成される。割れ目４は、割れ目４から電線１０を本体２の内部に挿入するために離間可能である。割れ目４を離間させると、本体２の中空部分と、本体２の外側の空間とが連続する。
【００２１】
突出部６は、一対の延出部５ａ、５ｂと対向する位置に設けられ、本体２の周面から外方に突出する。突出部６は、本体２の長手方向に沿って形成される。突出部６は、延出部５ａ、５ｂのそれぞれが互いに合わさった状態の形状と略同一の形状を備える。突出部６及び一対の延出部５ａ、５ｂは、本体２に対して対称に設けられる。突出部６は、本体２と同じポリエチレン材で構成される。
【００２２】
複数の突起部７は、少なくとも本体２の外面に設けられる。突起部７は、半球状の形状を備え、互いに隣接して並んでいる。突起部７の直径は、０．５〜２ｍｍ、好ましくは０．６〜１．５ｍｍである。突起部７の高さは、０．１〜０．７ｍｍである。
【００２３】
電線被覆体１は、その長手方向の一方を継手凸部１１に、他方を継手凹部１２に接続されている。電線被覆体１は、一の電線被覆体１の継手凸部１１を他の電線被覆体１の継手凹部１２に差し込むことにより連結可能である。
【００２４】
次に、電線被覆体１の作用について説明する。
電線被覆体１は、電線１０を被覆する前に、継手凹部１２及び継手凸部１１に接続される。複数の継手凸部１１が複数の継手凹部１２に連結されることにより、電線被覆体１は、必要な長さに調整される。
【００２５】
電線１０を電線被覆体１により被覆するため、本体２の内部に電線１０が挿入される。延出部５ａ、５ｂのそれぞれは、互いに離間させる方向へ移動され、割れ目４が開かれる。電線１０が本体２に挿入された後に、電線被覆体１の延出部５ａ、５ｂのそれぞれの凹部５１と凸部５２とが係合され、割れ目４が確実に閉じられる。
【００２６】
このとき、一対の延出部５ａ、５ｂは、電線１０を被覆した状態で、水平方向に延びるように、地面に対して略平行に配置される。一対の延出部５ａ、５ｂは、板状の形状を備えている。このため、電線被覆体１の延びる方向に対して交差する方向に風が吹く場合に、一対の延出部５ａ、５ｂは、風を正面５３から受けにくい。
【００２７】
電線被覆体１の延びる方向に対して交差する方向に吹く風は、一対の延出部５ａ、５ｂの板状の形状の側面５４側に対して吹く。一対の延出部５ａ、５ｂの側面５４は、正面５３よりも薄く形成されている。このため、一対の延出部５ａ、５ｂが正面５３から風を受ける場合と比べて、風に対する抵抗が少ない。
【００２８】
突出部６は、本体２に対して一対の延出部５ａ、５ｂと対称になるように設けられている。このため、一対の延出部５ａ、５ｂを水平方向に延びるように配置させることにより、突出部６は、水平方向に延びるように配置される。突出部６と一対の延出部５ａ、５ｂとが本体２に対して対称に設けられ、水平方向に延びているので、突出部６と一対の延出部５ａ、５ｂとは、重さの釣り合いを取ることが可能となる。
【００２９】
本体２の外面には、複数の突起部７が設けられている。このため、風が電線被覆体１に当たった場合、電線被覆体１とその周囲の空気との境界層に乱流が生じる。この乱流により、電線被覆体１に当たった風は、すぐに電線被覆体１の外面から剥離せず、電線被覆体１の外面に付着するように流れるようになる。
【００３０】
電線被覆体１に風が当たると、風下側に回った風がカルマン渦と呼ばれる渦を形成する。この渦の内側では気圧が低くなっている。電線被覆体１に突起部７が設けられない場合は、風上側で電線被覆体１に風が当たることで気圧が高くなり、風下側のカルマン渦の内側の低い気圧との気圧差により、電線被覆体１に風圧荷重がかかる。
電線被覆体１に突起部７が設けられることにより、電線被覆体１に当たった風が電線被覆体１の外面に付着するように流れると、電線被覆体１の風上側の高い気圧と、電線被覆体１の風下側に生じるカルマン渦の内側の低い気圧との気圧差が小さくなる。これにより、電線被覆体１にかかる風圧荷重が低減される。
【００３１】
第１実施形態によれば、次のような効果が奏される。
本実施形態によれば、本体２の外面に複数の突起部７を設けた。このため、電線被覆体１に当たった風に乱流が生じる。上述のとおり、この乱流により、電線被覆体１に当たった風が、電線被覆体１の外面に付着するように流れようになる。電線被覆体１に風が当たって高くなった風上側の気圧と、電線被覆体１の風下側に生じる上記のカルマン渦の内側の低い気圧との気圧差が小さくなることにより、電線被覆体１に当たる風圧荷重が、低減される。よって、強風が吹いた場合でも、電線被覆体１の落下を防止することができ、電柱１００に対する電線１０及び電線被覆体１の負担を軽減することが可能となる。
【００３２】
また、本実施形態によれば、一対の延出部５ａ、５ｂは、電線１０を被覆した状態で、水平方向に延びるように、地面に対して平行に配置される。したがって、一対の延出部５ａ、５ｂの板状の面は、電線被覆体１の延びる方向に対して交差する方向に吹く風を正面５３から受けにくい。一方、一対の延出部５ａ、５ｂの側面５４は、正面５３よりも薄く形成されている。電線被覆体１の延びる方向に対して交差する方向に吹く風は、板状の側面５４によって受け止められるため、風が電線被覆体１に当たった際の抵抗は、低減される。よって、一対の延出部５ａ、５ｂが受ける風圧荷重を低減することができる。
【００３３】
また、本実施形態によれば、一対の延出部５ａ、５ｂに対向する位置に、本体２から外方に延びる突出部６を設けた。このため、突出部６と一対の延出部５ａ、５ｂとが本体２に対して対称となり、突出部６と一対の延出部５ａ、５ｂとの重さの釣り合いを取ることが可能となる。したがって、電線被覆体１は、突出部６及び一対の延出部５ａ、５ｂを水平方向に延びるように配置した状態を安定して維持することができる。
【００３４】
本発明の実施形態は、上記の実施形態に何ら限定されることなく、本発明の技術的範囲は、これに限定されるものではない。
本実施形態では、電線被覆体１は、電線１０が設けられていることを視認可能にし、注意を喚起する目印として用いられるものである。しかしながら、電線被覆体を絶縁性の部材で構成し、電線防護管としてもよい。この場合、電線被覆体の本体は、内層及び外層の二層構造を有するように構成される。また、この内層は、電線防護管としての所定の規格を満たす絶縁性及び耐磨耗性を有するように構成され、絶縁性が維持される。
【００３５】
また、突起部７の配置や形状は適宜変更されてよい。本実施形態において、突起部７は本体２の外面の全面に形成されているが、本体の外面の一部は平坦な表面で構成され、突起部を一部だけ設けてもよい。また、本実施形態において、突起部７は半球状に形成されているが、電線被覆体の周囲に空気の乱流を生じさせることができれば、突起部の形状は特に限定されない。例えば、突起部は、円錐形状や紡錘形状であってもよい。
【００３６】
次に、本発明の第２実施形態に係る電線被覆体１Ａについて、図４を参照しながら説明する。図４は、第２実施形態に係る電線被覆体１Ａの横断面図である。第２実施形態の説明において特に説明をしない点については、第１実施形態の説明が適宜援用される。
【００３７】
第２実施形態に係る電線被覆体１Ａは、本体２の長手方向に直交する方向に略楕円形の断面を備える。電線被覆体１Ａの一対の延出部５ａ、５ｂ及び突出部６は、略楕円形の断面の長軸方向に沿って、この長軸方向における一方と他方との端部に配置される。すなわち、電線被覆体１Ａが電線１０を被覆した状態では、電線被覆体１Ａの略楕円形の断面の長軸方向が水平方向に、短軸方向が鉛直方向に向くように配置される。
【００３８】
電線被覆体１Ａをこのように配置することにより、電線の延びる方向に交差する方向に風が吹いた場合でも、電線被覆体１Ａの短軸方向の幅の方が、長軸方向の幅よりも狭いため、風に対する抵抗を低減することができる。このため、例えば海岸線付近のような、電線の延びる方向に交差する方向に風が吹く頻度が高い地域や場所において、電線被覆体１Ａは、好適に用いられる。
【符号の説明】
【００３９】
１、１Ａ    電線被覆体
２          本体
３ａ、３ｂ  縁部
５ａ、５ｂ  延出部
６          突出部
７          突起部(凸部）
１０        電線
【図１】
2010187508.tif 000003
【図２】
2010187508.tif 000004
【図３】
2010187508.tif 000005
【図４】
2010187508.tif 000006